(57)【要約】      （修正有）【課題】連結状態にある連結印を容易に分離することができる連結印を提供する。【解決手段】印面を有する直方体形状の印判本体１と、印面と直交して向かい合う一対の面の表側の表面２ａに形成された印判本体同士を連結する結合突起３と、この結合突起３を形成した面の裏側の表面２ｂに形成された係合溝と、連結した印判本体同士を連結解除する解除機構を備えた連結印であって、解除機構は、印判本体側面に設けられ内側に向けて摺動自在なスライダ部材６と、このスライダ部材６の摺動方向とは直交する方向に摺動自在な押出部材を有し、前記スライダ部材６と押出部材とが当接する部分のいずれか一方には、スライダ部材６を内側に向けて押し込んだ際に、押出部材が押し上げられて上端部を印判本体表面から突出させる傾斜面が形成してあるものとした。【選択図】図１
2020110992.tif 000002
【特許請求の範囲】
【請求項１】
印面を有する直方体形状の印判本体と、
印面と直交して向かい合う一対の面の表側の表面に形成された印判本体同士を連結する結合突起と、この結合突起を形成した面の裏側の表面に形成され、前記結合突起と係合する係合溝と、
連結した印判本体同士を連結解除する解除機構を備えた連結印であって、
前記解除機構は、印判本体側面に設けられ内側に向けて摺動自在なスライダ部材と、このスライダ部材の摺動方向とは直交する方向に摺動自在な押出部材を有し、
前記スライダ部材と押出部材とが当接する部分のいずれか一方には、スライダ部材を内側に向けて押し込んだ際に、押出部材が押し上げられて上端部を印判本体表面から突出させる傾斜面が形成してあることを特徴とする連結印。
【請求項２】
スライダ部材と押出部材とが当接する部分の双方に、傾斜面が形成してある請求項１に記載の連結印。
【請求項３】
スライダ部材は、弾発部材により常に外側に向けて弾発されている請求項１または２に記載の連結印。
【請求項４】
押出部材の上端部が平坦面である請求項１〜３のいずれかに記載の連結印。
【発明の詳細な説明】
【技術分野】
【０００１】
本発明は、連結状態にある連結印を容易に分離することができる連結印に関するものである。
【背景技術】
【０００２】
従来から、複数個の印を連結し、まとめて押印できるようにした連結印が知られている。これらの印は、印面と直交して向かい合う一対の面の表側の表面に形成された結合突起と、この結合突起を形成した面の裏側の表面に形成された係合溝を嵌合することによって印判本体同士を連結する構造となっている。
【０００３】
しかしながら、前記結合突起と係合溝との嵌合力が強く、また嵌合状態が精密で二つの印の間に指を引っ掛ける隙間もないため、連結を解除するには強い力が必要で上手にできなかった。また、指を引っ掛ける隙間を確保するために、例えばマイナスドライバ等の道具をすぐに準備することも難しく、連結を解除するのが容易でないことが問題となっていた。
【０００４】
そこで、特許文献１に示されるように、連結した印判本体同士を連結解除する解除機構を備えた連結印が提案されている。しかしながら、特許文献１に記載の解除機構は、ヒンジ部を有する押圧板を押圧部材により押し込んだとき、ヒンジ部が屈曲して突出する構造である。そのため、ヒンジ部が他方の印判に擦れながら押圧することになり、またヒンジ部が他方の印判と線接触することになる等の理由から、ヒンジ部の頂点が摩耗するおそれがあるという問題があった。また、ヒンジ構造のため、他方の印判と面接触させる事は不可能であり、接触面積の調整等の設計変更が難しいという問題もあった。
【先行技術文献】
【特許文献】
【０００５】
【特許文献１】特許第５６０２４９０号公報
【発明の概要】
【発明が解決しようとする課題】
【０００６】
本発明は上記のような従来の問題点を解決して、連結状態にある連結印を強い力や道具を必要とせず容易に分離することができ、また連結解除機構の部品が摩耗する心配がなく長期間使用することができ、また接触面積の設計変更も容易に行うことができる連結印を提供することを目的とするものである。
【課題を解決するための手段】
【０００７】
上記課題を解決するためになされた本発明の連結印は、印面を有する直方体形状の印判本体と、
印面と直交して向かい合う一対の面の表側の表面に形成された印判本体同士を連結する結合突起と、この結合突起を形成した面の裏側の表面に形成され、前記結合突起と係合する係合溝と、
連結した印判本体同士を連結解除する解除機構を備えた連結印であって、
前記解除機構は、印判本体側面に設けられ内側に向けて摺動自在なスライダ部材と、このスライダ部材の摺動方向とは直交する方向に摺動自在な押出部材を有し、
前記スライダ部材と押出部材とが当接する部分のいずれか一方には、スライダ部材を内側に向けて押し込んだ際に、押出部材が押し上げられて上端部を印判本体表面から突出させる傾斜面が形成してあることを特徴とするものであり、これを請求項１に係る発明とする。
【０００８】
好ましい実施形態によれば、前記スライダ部材と押出部材とが当接する部分の双方に、傾斜面が形成してあるものが好ましく、これを請求項２に係る発明とする。
【０００９】
好ましい実施形態によれば、前記スライダ部材は、弾発部材により常に外側に向けて弾発されているものが好ましく、これを請求項３に係る発明とする。
【００１０】
また、その他の好ましい実施形態によれば、前記押出部材の上端部が平坦面であるものが好ましく、これを請求項４に係る発明とする。
【発明の効果】
【００１１】
請求項１に係る発明では、印面を有する直方体形状の印判本体と、
印面と直交して向かい合う一対の面の表側の表面に形成された印判本体同士を連結する結合突起と、この結合突起を形成した面の裏側の表面に形成され、前記結合突起と係合する係合溝と、
連結した印判本体同士を連結解除する解除機構を備えた連結印であって、前記解除機構は、印判本体側面に設けられ内側に向けて摺動自在なスライダ部材と、このスライダ部材の摺動方向とは直交する方向に摺動自在な押出部材を有し、前記スライダ部材と押出部材とが当接する部分のいずれか一方には、スライダ部材を内側に向けて押し込んだ際に、押出部材が押し上げられて上端部を印判本体表面から突出させる傾斜面が形成してあるものとしたので、押出部材が連結している他の印判本体に対して常に垂直に当たって押し上げることとなり、押出部材の摩耗を防止することができる。また、スライダ部材あるいは押出部材のいずれかの傾斜面を面接触させて押出部材を押し上げる構造のため、押圧部材の寸法を変化させるだけで、印判本体との接触面積の調整が自在で設計変更も自在に行うことができる。
【００１２】
請求項２に係る発明では、前記スライダ部材と押出部材とが当接する部分の双方に、傾斜面が形成してあるものとしたので、傾斜面同士が滑ってスライド移動し小さい力で押出部材を押し上げることができ、また摩耗を防止することもできる。
【００１３】
また、請求項３に係る発明では、前記スライダ部材は、弾発部材により常に外側に向けて弾発されているものとしたので、スライダ部材の端面が印判本体側面と面一の状態を維持して優れた外観を呈することができ、またスライダ部材の操作性も良好なものとすることができる。
【００１４】
また、請求項４に係る発明では、前記押出部材の上端部を平坦面としたので、連結している他の印判本体に対し面で当てた状態で押し上げることとなり、押出部材に加わる力が分散されて押し上げ動作を円滑にし、また押出部材の摩耗を防止することができる。
【図面の簡単な説明】
【００１５】
【図１】連結した状態の本発明の実施の形態を示す斜視図である。
【図２】図１のＡ−Ａ断面図である。
【図３】連結を解除した状態の本発明の実施の形態を示す斜視図である。
【図４】図３のＢ−Ｂ断面図である。
【図５】図１を背面側から見た斜視図である。
【図６】（ａ）はスライダ部材の平面図、（ｂ）は斜視図である。
【図７】（ａ）は押出部材の正面図、（ｂ）は斜視図である。
【発明を実施するための形態】
【００１６】
以下に、図面を参照しつつ本発明の好ましい実施の形態を示す。
図１は二つの印判を連結した状態の本発明の実施の形態を示す斜視図であり、図２は図１のＡ−Ａ断面図である。また、図３は連結を解除した状態の本発明の実施の形態を示す斜視図であり、図４は図３のＢ−Ｂ断面図である。また、図５は図１を背面側から見た斜視図である。
【００１７】
図において、１は印面（図示せず）を有する直方体形状の印判本体であり、図示のものでは印面は底面に位置している。印面と直交して向かい合う一対の面の表側の表面２ａには、印判本体同士を連結する結合突起３が形成されており、一方、この結合突起３を形成した面の裏側の表面２ｂには係合溝４が形成されていて（図５を参照）、前記結合突起３と係合溝４を嵌め合わせることにより複数の印判本体１、１を連結可能な連結印を構成している。
【００１８】
なお、図示のものでは、一例として２個の印判本体１、１を連結した場合を示すが、３個以上連結できることは勿論である。また、表側の表面２ａに係合溝４を形成し、裏側の表面２ｂに結合突起３を形成することもできるし、また、結合突起３と係合溝４を複数個以上設けることもできる。
【００１９】
前記連結印は、連結した印判本体１、１同士を連結解除する解除機構５を備えている。この解除機構５は、印判本体側面に左右対称に一対設けられており、基本的にはスライダ部材６と押出部材７とで構成されている。
前記スライダ部材６は、内側に向けて摺動自在に装着されるものであり、図６に示されるように、先端部に傾斜面６ａが形成されている。なお、６ｂは押圧片部、６ｃは傾斜面６ａの両側に設けられたスライド案内部である。
【００２０】
また、図７に示されるように、押出部材７の下端部には前記傾斜面６ａに当接する傾斜面７ａが形成されており、前記スライダ部材６を内側に向けて押し込んだ際に、押し込み方向と直交する方向に押し上げられて上端部７ｂが印判本体表面から突出するように構成されている。ここで印判本体表面とは、前記表側の表面２ａと前記裏側の表面２ｂのいずれかを示しており、本実施形態では、上端部７ｂが表側の表面２ａから突出するように構成されている。また、前記傾斜面７ａは押出部材７の下端部以外に側面に設けていてもよい。
なお、７ｃは押出部材７の押し上げ量を一定にするための鍔部であり、８は表側の表面２ａに設けられた押出部材７の突出用の孔部である。
【００２１】
図示のものでは、スライダ部材６の先端部に傾斜面６ａを形成し、押出部材７の下端部に前記傾斜面６ａに当接する傾斜面７ａを形成した場合を示すが、スライダ部材６か押出部材７のいずれか一方のみに傾斜面を形成したものとしてもよい。
【００２２】
図示のものでは、スライダ部材６はコイルスプリングのような弾発部材９により常に外側に向けて弾発されており、押圧片部６ｂが印判本体１の側面と略同一面となるように構成されている。これにより、優れた外観を呈し、またスライダ部材６の内側に向けての押し込み操作も弾力があって節度感よく、かつ円滑に行える構造となっている。
【００２３】
また、前記押出部材７の上端部７ｂが平坦面に形成されているので、連結している他の印判本体に対し面で当てた状態で押し上げることとなり、押出部材７に加わる力が分散されて押し上げ動作を円滑に行うことができ、また上端部７ｂの摩耗も防止することができる構造となっている。
【００２４】
次に、以上のように構成した連結印の連結状態と、連結を解除する状態について説明する。
図１、２に示すように、二つの印判本体１、１が連結している状態においては、一方の表側の表面２ａにある結合突起３と、他方の裏側の表面２ｂにある係合溝４とを嵌合させて、二つの印判本体１、１を連結一体化して連結印を形成している。この時、スライダ部材６は弾発部材９により外側に向けて弾発されていて、押圧片部６ｂが印判本体１の側面とほぼ同一面となる位置にある。また、スライダ部材６の先端部の傾斜面６ａは、押出部材７の傾斜面７ａと当接しているが、この位置では押出部材７の上端部７ｂは表側の表面２ａと同一面となる位置にあるため、二つの印判本体１、１は当接一体化した状態となっている。即ち、この状態では解除機構５は連結解除する作用は発揮していない。
【００２５】
次に、二つの印判本体１、１の連結を解除する場合は、図３、４に示すように、左右の押圧片部６ｂ、６ｂを指でつまんで中央に向けて押し込むと、弾発部材９の弾発力に反してスライダ部材６が中央方向へ移動する。これにより、先端部の傾斜面６ａに当接している押出部材７の傾斜面７ａが上方向へ押し上げられ、押出部材７の上端部７ｂが孔部８より上方に向けて突出することとなる。この結果、該上端部７ｂが他方の裏側の表面２ｂを押し上げ、結合突起３と係合溝４の嵌合状態を解除して僅かな隙間（Ｓ）を形成する。その後、前記隙間（Ｓ）に指を掛けて開けば、結合突起３と係合溝４の嵌合関係が解かれているので、二つの印判本体１、１は容易に分離することができる。
【００２６】
以上の説明からも明らかなように、本発明は連結印の解除機構を、印判本体側面に設けられ内側に向けて摺動自在で、先端部には傾斜面が形成されているスライダ部材と、下端部に前記傾斜面に当接する傾斜面が形成されており、前記スライダ部材を内側に向けて押し込んだ際に、押し込み方向と直交する方向に押し上げられて上端部を表面から突出する押出部材とで構成されているものとしたので、押出部材が連結している他の印判本体に対して常に垂直に当たって押し上げることとなり、押出部材の摩耗を防止することができる。また、スライダ部材の傾斜面に押出部材の傾斜面を面接触させて押出部材を押し上げる構造のため、接触面積の調整が自在で設計変更も自在に行うことができる。
【符号の説明】
【００２７】
１  印判本体
２ａ  表側の表面
２ｂ  裏側の表面
３  結合突起
４  係合溝
５  解除機構
６  スライダ部材
６ａ  傾斜面
６ｂ  押圧片部
６ｃ  スライド案内部
７  押出部材
７ａ  傾斜面
７ｂ  上端部
７ｃ  鍔部
８  孔部
９  弾発部材
Ｓ  隙間
【図１】
2020110992.tif 000003
【図２】
2020110992.tif 000004
【図３】
2020110992.tif 000005
【図４】
2020110992.tif 000006
【図５】
2020110992.tif 000007
【図６】
2020110992.tif 000008
【図７】
2020110992.tif 000009